(57)【要約】  中央配信ステーションからローカル装置へのマルチメディア・データの配信方法であって、ａ）１個の画像特徴（３２、３４、３６、３８、４０、４２、４４、４６、４８）を、各々が中央配信ステーションに保存されているマルチメディア・データの少なくとも１個の集合に関連付けるステップと、ｂ）少なくとも１人のユーザーに対し、少なくとも１個の選択画像（１２、１４、１６、１８、２０、２２）を有するサポート画面（１０）を利用可能にするステップと、ｃ）ローカル装置によりサポート画面の少なくとも１個の画像を取得したことに応答して、取得された画像の特徴を計算するステップと、ｄ）ステップｃ）で計算された特徴に最も近い画像特徴に関連付けられた中央ステーションのマルチメディア・データ集合を検索するステップと、ｅ）対応するマルチメディア・データをローカル装置へ転送するステップとを含む。
2008522515.tif 000002
【特許請求の範囲】
【請求項１】
中央配信ステーションから、画像センサ（３０２）および前記中央配信ステーションとの通信リンクを確立する手段を備えたローカル装置（３００）へマルチメディア・データを配信する方法であって、
ａ）少なくとも１個の画像特徴（３２、３４、３６、３８、４０、４２、４４、４６、４８）を、各々が中央配信ステーションに保存されているマルチメディア・データ（１００、１０１、１０２）の少なくとも１個の集合に関連付けるステップと、
ｂ）少なくとも１人のユーザーに対し、マルチメディア・コンテンツを表わし、且つ少なくともその一部が画像特徴を含む少なくとも１個の選択画像（１２、１４、１６、１８、２０、２２）を有するサポート画面（１０）を利用可能にするステップと、
ｃ）前記ローカル装置により前記サポート画面の少なくとも１個の画像を取得したこと（２００）に応答して、前記ローカル装置と前記中央配信ステーションとの間に通信リンク（２０４）を自動的に確立し、前記取得された画像の特徴を計算する（２０２）ステップと、
ｄ）ステップｃ）で計算された特徴に最も近い画像特徴に関連付けられた前記中央ステーションのマルチメディア・データ集合を検索する（２０６）ステップと、
ｅ）マルチメディア・データを前記ローカル装置へ転送して、前記ローカル装置を用いてユーザーに対し前記データを再現するステップとを含む方法。
【請求項２】
前記デジタルデータ集合が、画像データ、画像部分および複数の画像に関係するデータ、ビデオ・シーケンスに関係するデータ、音声データ、および注釈が付けられた画像に関係するデータのうち少なくとも一つを含む、請求項１に記載の方法。
【請求項３】
少なくとも１個の画像特徴（４８）をデータ集合の部分集合（１１０、１１１、１１２）に関連付けるステップをも含み、取得された画像の特徴がデータ集合の部分集合に関連付けられた特徴に対応する場合、ステップｄが画像取得領域を制限すべく誘導表示を送信する（２０８）ステップを含む、請求項１に記載の方法。
【請求項４】
前記ローカル装置を用いて入力された識別子（１９４）を前記中央配信ステーションが受信するステップをも含み、ステップｄ）の検索が、前記識別子に関連付けられたマルチメディア・データ集合（１１０、１１１５  １１２）の部分集合内で実行される、請求項１に記載の方法。
【請求項５】
前記マルチメディア・データが、ユーザーに提示されたサポート画面に表示された選択画像のコンテンツに対応するアイコン化されたコンテンツを有する画像に関係していて、再現に使用する画面のサイズより大きいサイズを有する画像内でのナビゲーションをシミュレーションすべく、ユーザーに提示されたサポート画面に関するローカル装置の位置に応じて前記画像の一部が再現される、請求項１に記載の方法。
【請求項６】
前記データが１個の画像に対応していて、ローカル装置とユーザーに提示されたサポート画面を隔てる距離に依存する拡大係数を以って前記画像の一部が再現される、請求項１に記載の方法。
【請求項７】
前記ローカル装置がデジタル・カメラまたは移動電話である、請求項１に記載の方法。
【請求項８】
前記マルチメディア・データは画像データであり、前記データの再現が、前記ローカル装置に組み込まれた制御画面（３０４）、およびローカル装置から離れた制御画面（３０６）のうち一つで実行される、請求項１に記載の方法。
【請求項９】
前記デジタルデータに関連付けられた画像特徴および前記計算された特徴が、画像の色成分、画像の空間強度勾配、画像または画像部分の空間周波数、画像に含まれる形状の輪郭線のマップ、および画像分割のうち少なくとも一つの関数である、請求項１に記載の方法。
【請求項１０】
ユーザーに提示された前記サポート画面（１０）が新聞であり、前記マルチメディア・コンテンツを表わす画像が新聞を表示する画像である、請求項１に記載の方法。
【請求項１１】
ユーザーに提示された前記サポート画面（１０）がＸ線画像プリントを含む、請求項１に記載の方法。
【請求項１２】
ユーザーに提示されたサポート画面（１０）が写真インデックス・シートである、請求項１に記載の方法。
【発明の詳細な説明】
【技術分野】
【０００１】
本発明は、マルチメディア・データを配信する方法に関し、特に中央配信ステーションから、画像センサを備えたローカル機器への画像データの配信に関する。本発明は、移動電話等、画像および／または音声の取得および再現機能を同時に統合する携帯装置の利用分野における用途がある。また、医療画像分野および報道情報の配信分野における用途が想定される。
【背景技術】
【０００２】
移動電話の画像および／または音声の取得および再現能力は、専用装置のそれらと比較して劣っている。しかし、それらは常に進歩している。同じことが、オーガナイザまたはデジタル・カメラ等の他の携帯装置にも当てはまる。画像および／または音声の取得および再現能力の向上により、このような装置はマルチメディア・データを配信する好適なインターフェースとなっている。実際に、上述の携帯装置は、従来は固定式のパソコンに限られていた多くの機能を提供する。携帯装置のサイズが小さく、且つデータ記憶容量および再現能力が限られる問題は、各種の中央配信ステーションとの通信リンクを確立できる能力により補われる。中央配信ステーションは、データを携帯装置へ配信または再配信する前に、保存、分類、ソート、および恐らくは処理も行なうサーバを備えている。携帯装置とパーソナル・コンピュータとの間のやり取りもまた、同等のスキームに従い可能である。
【０００３】
以下の記述において、上述の電話その他の機器等の装置を「ローカル装置」と呼ぶ。データを保存し、ローカル装置が通信リンクを確立できる装置を「中央ステーション」と呼ぶ。中央ステーションは、例えばコンピュータまたはサーバであってよい。
【０００４】
ローカル装置の通信機能を介してより大量のデータをユーザーが利用できるようにすることで、ユーザーに配信する必要があるデータの場所、選択、およびアクセスに困難が生じる。本明細書の末尾に掲げる文献（１）〜（８）に、画像配信、画像に関連付けられたデータの配信、および配信すべきデータを選択する各種の態様が示されている。
【０００５】
例えば、文献（１）は、ユニフォーム・リソース・ロケータ（ＵＲＬ）を読んでインターネット経由でデータを受信することが可能なローカル装置を記述している。文献（２）は、ローカル携帯装置には言及していないが、対応する画像データを取り出すべくフォトインデックス・シートの画像にアドレスまたはコードを関連付ける可能性を示している。
【０００６】
【特許文献１】米国特許第６７０７５８１号明細書
【特許文献２】米国特許第６６７４９２３号明細書
【特許文献３】米国特許出願公開第２００２／０１４０９８８号明細書
【特許文献４】米国特許第６４０８３０１号明細書
【特許文献５】米国特許出願公開第２００４／００８５４５５号明細書
【特許文献６】米国特許第５５７４５１９号明細書
【特許文献７】国際公開第９９／３２９６０号パンフレット
【特許文献８】国際公開第００／７５９１４号パンフレット
【発明の開示】
【発明が解決しようとする課題】
【０００７】
本発明の目的は、配信または再現する必要があるデータの選択を極めて容易にするマルチメディア・データの配信方法を提案することである。
【０００８】
画像またはデータの選択機能を、ユーザーにとってより使い易くすることも目的である。より完成した形式において、ユーザーによる明示的な制御を一切必要とせずに選択動作を完全自動化することが目的である。
【０００９】
更に別の目的は、ユーザーに提供された画像をマルチメディア・データにより自動的に拡張可能にする方法を提案することである。
【課題を解決するための手段】
【００１０】
これらの目的を達成するために、本発明は、中央配信ステーションから当該中央配信ステーションとのリンクを確立すべく画像センサおよび手段を備えたローカル装置へマルチメディア・データをより正確に配信する方法をその目的として有している。当該方法は、
ａ）少なくとも１個の画像特徴を、各々が中央配信ステーションに保存された少なくとも１組のマルチメディア・データに関連付けるステップと、
ｂ）少なくとも１人のユーザーに対し、マルチメディア・コンテンツを表わし、且つ少なくともその一部が画像特徴を含む少なくとも１個の選択画像を有するサポート画面を利用可能にするステップと、
ｃ）ローカル装置のセンサにより当該サポート画面の画像を取得したことに応答して、当該ローカル装置と中央配信ステーションとの間に通信リンクを確立し、取得された画像の特徴を計算するステップと、
ｄ）ステップｃ）で計算された特徴に最も近い画像特徴に関連付けられた中央ステーションのマルチメディア・データ集合を検索するステップと、
ｅ）前記マルチメディア・データ集合のデータを当該ローカル装置へ転送して、当該ローカル装置を用いてユーザーに対して認知可能な形式でそれらを再現するステップとを含んでいる。
【００１１】
認知可能な形式でのデータの再現は、例えば、画像やビデオ・クリップまたは音声の再現を意味する。これは、ローカル装置の画面またはスピーカーで直接的に、あるいはユーザーの近くにあって当該ローカル装置に接続された他の装置上で行なわれてよい。例えば、マルチメディア・データが画像を含む場合、これらは移動電話の小型モニタ画面、または移動電話と通信すべくローカルに接続されたテレビに表示することができる。接続は、例えばブルートゥース・プロトコルに従い行なわれる。
【００１２】
本発明により、ユーザーは、受信したいと望む画像やマルチメディア・データを識別するコードまたはＩＤを入力する必要がなくなった。ユーザーは、自分のローカル装置で取得している画像に付随するマルチメディア・コンテンツの存在を無視することも可能である。実際に、中央配信ステーションとの通信リンクの確立およびマルチメディア・データの検索を自動的に生起させることができる。
【００１３】
中央ステーションに保存されたデジタル・マルチメディア・データは、画像、画像シーケンス、テキスト、音声、またはこれらマルチメディア・オブジェクトの組合せ等のマルチメディア・オブジェクトに関する。データはデータ集合として編成され、これは例えばファイルまたはファイル集合に対応している。
【００１４】
各々のデータ集合は、画像特徴、すなわち画像、画像の集合、または画像部分に対応する特徴に関連付けられている。画像特徴は、色または光成分、光度の空間勾配、光度の空間周波数、画像に含まれる形状の輪郭線のカード、画像の分割、画像の低解像度表現等、１個以上のパラメータの関数である。
【００１５】
一般に、多数のデータ集合の中から選択を行なう必要がある場合、より微細な画像特徴が採取される。より複雑な方法で、全ての画像データ、すなわちユーザーに提示されるサポート画面から選択された画像のピクセルを画像特徴として採取することができる。同じ画像のデータをより低い解像度で採取することができる。
【００１６】
逆に、限られた数のデータ集合の中から選択を行なわざるを得ない場合、強度勾配または輪郭線のカード等、更に要約された特徴があれば十分である。
【００１７】
ユーザーが、利用可能にされたサポート画面の全部または一部から画像を取得する場合、取得された画像の特徴の一つが計算される。この特徴が、記憶されたデータ集合の特徴と比較される。最後に、ユーザーが取得した画像の特徴に最も近い特徴を有する集合のデータがローカル装置へ送信される。
【００１８】
中央配信ステーションに存在するマルチメディア・データ集合の数が多い場合、データの検索はデータ集合の一つの部分集合内だけで実行することができる。この方策の目的は、必要な計算量を減らして処理速度を向上させることである。従って、データ集合の部分集合を識別子に関連付けることができる。例えば、ユーザーに与えられた同一サポート画面から選択できるデータ集合の部分集合を同一識別子に関連付けることができる。識別子は、英数字コード、バーコード、その他ユーザーが入力した任意の記号でよく、中央配信ステーションへ送られてマルチメディア・データの検索の目標となる。識別子の入力は、例えばローカル装置のキーボード等を用いて手動で、あるいはバーコード方式で自動的に行なわれてもよい。
【００１９】
別の可能性として、この特徴を有する画像が既に入力されている場合、データ集合の部分集合へ画像特徴を関連付けて、関連する部分集合内で検索することができる。
【００２０】
例えば、サポート画面の画像集合または画像全体の特徴をいくつかのデータ集合の部分集合に関連付けることができる。この画像全体が識別されたならば、本方法の次のステップは、画像集合または画像全体の特定の画像を識別させるべくユーザーに画像取得領域を制限させるメッセージをローカル装置に送るステップを含んでいてよい。この態様について、図面を参照しつつより詳細に述べる。
【００２１】
本発明の特定の実装によれば、マルチメディア・データは画像に関係付けられていて、当該画像のアイコン化されたコンテンツはユーザーへ送られたサポート画面に現われる選択された画像のコンテンツと一致し、且つ画像の一部のみが再現されている。再現される部分は、再現に使用される画面のサイズより大きいサイズを有する画像でのナビゲーションをシミュレーションすべく、ユーザーに提示されたサポート画面に関するローカル装置の位置に応じて決定される。これにより、ユーザーはローカル装置をチェック用機器および拡大鏡の両方の目的で使用しながら画像を走査することができる。
【００２２】
マルチメディア・データの再現は、選択画像の取得に用いるローカル装置で実行できるだけでなく、ローカル装置がデータを送信する他の特定の装置で実行することもできる。例えば、ローカル装置は、モニタまたはテレビと通信している携帯電話カメラであってよい。この場合、選択画像の読み込みは携帯電話カメラを用いて実行できる一方、画像および音声の再現はテレビで実行することができる。
【００２３】
本発明の他の特徴および利点は、添付の図面を参照しつつ以下の記述により明らかになる。これらの記述はあくまでも説明用であって本発明を限定するものではない。
【発明を実施するための最良の形態】
【００２４】
以下の記述において、各種図面の同一、類似、または等価な部分には、図面間の参照を容易にすべく同一参照記号を付与している。
【００２５】
図１に、本方法を実装すべくユーザーへ送信可能なサポート画面１０を示す。ここに示す例では、光学的プリントに付随して見られるものと同等のインデックス・シートである。サポート画面１０はまた、新聞、雑誌、または紙であるか否かに関わらず、任意の種類の可読情報サポート画面であってよい。
【００２６】
サポート画面は、数個の選択画像１２、１４、１６、１８、２０、２２を含んでいる。この場合、これらは写真である。サポート画面の各々の選択画像は、１個以上のマルチメディア・オブジェクトに対応している。より一般的に、選択画像は、自身が表わす写真のデジタルデータに対応付けることができる。選択画像はまた、多くの画像を含むビデオ・シーケンスのデータに対応付けることができる。この場合、サポート画面１０に存在する選択画像は例えば、関連するビデオ・シーケンスをユーザーが容易に識別できるようにすべく、ビデオ・シーケンスの画像のうちの１個を表わしている。
【００２７】
選択画像はまた、テキスト・データ、音声データ、その他ローカル装置またはローカル装置と通信する専用装置により認知可能な方法で再現可能な任意の種類のマルチメディア・データを表わすことができる。本発明の本質的な特徴を構成しないにものの、図１のサポート画面１０の画像は写真を表わしている。この場合、解像度が限られた写真（サムネイル）である。
【００２８】
マルチメディア・データの集合が、サポート画面の選択画像１２、１４、１６、１８、２０、２２、選択画像２４、２６の一部、または選択画像の集合２８に関連付けることが可能な点に留意されたい。
【００２９】
サポート画面の選択画像の各々は、固有の画像特徴を有する。例えば、これらは空間強度勾配、色成分、その他ローカル装置が取得した画像データから計算できる任意の特徴である。各画像、各画像部分または各画像集合について生成可能な特徴を、小さい正方形３２、３４、３６、３８、４０、４２、４４、４６、４８により図１に象徴的に示す。画像特徴に付与された参照番号は、対応する画像または画像部分の参照番号に２０を加算することにより得られる。例えば、特徴４８はサポート画面の選択画像全体２８に対応し、特徴４２は選択画像２２に対応し、特徴４６は選択画像部分２６に対応している。
【００３０】
画像特徴の利用法は、図２を参照しつつ本発明の方法の主要ステップを示す以下の記述で明らかになる。
【００３１】
図２において、一点鎖線により、図の左側に示すローカル側で実行されるステップと、図の右側に示す中央配信ステーションで実行されるステップを分けている。ローカル装置の置換を考慮する、またはディスプレイをフォーマット化する、いくつかの特徴計算ステップは、中央配信ステーションまたはローカル装置のいずれかにより実行できる。処理場所の選択は基本的に、ローカル装置の計算能力、および中央配信ステーションとの間の通信リンクの容量により決定される。
【００３２】
中央配信ステーションは、１人以上のユーザーが要求できる多くのマルチメディア・データを含んでいる。当該マルチメディア・データは、各々が画像特徴３２、４６等に関連付けられたデータ集合１００、１０１、１０２に編成される。これらは、ユーザーに提示される選択サポート画面に表示可能な選択画像に対応する画像特徴である。この場合、これらは図１に関して上で述べた種類の選択画像特徴である。データ集合は、データ集合１１０、１１１、１１２の部分集合として編成されている。データの各部分集合は、例えば、特定のユーザーにより各々アクセス可能な全てのデータを含んでいる。データの部分集合もまた、１人以上のユーザーに提示された同一サポート画面から選択可能な全てのデータに対応付けることができる。他のグループ化も可能である。
【００３３】
データ集合と同様に、データ集合１１０、１１１、１１２の部分集合が画像特徴に関連付けられている。上に示した例では、データ集合の部分集合１１０の１個が、図１のサポート画面１０に見出される画像により形成される集合２８の部分集合に対応する特徴４８に関連付けられている。
【００３４】
ユーザーが実行する第１のステップ２００で、ユーザーへ送信されたサポート画面の画像を取得する。取得は、ローカル装置を用いて実行される。例えば、携帯電話カメラのセンサを用いた画像の取得である。
【００３５】
ユーザーは、取得した画像を枠取りして、当該サポート画面の選択画像全体、当該サポート画面の特定の１個の選択画像、選択画像の部分集合、または選択画像の一部のみが入るようにできる。
【００３６】
画像が取得されたならば、直ちに画像の特徴４８ａが作成される。特徴の生成２０２は、ローカル装置の画像センサから提供されたデータからの計算により生じる。中央配信ステーションとの通信リンク２０４もまた確立される。これは、無線（ヘルツ）リンクであっても、および／または通信ネットワークによるリンクであってもよい。
【００３７】
図に示す例では、図１のサポート画面１０の全ての画像に多少なりとも対応する画像をユーザーが取得するものと仮定している。取得された画像から計算された特徴４８ａは、中央配信ステーション内でこれらの画像に関連付けられた特徴４８とは正確には同一ではない。これは、例えば、わずかな枠取り誤差、わずかなサポート画面印刷誤差、センサ忠実度の誤差、その他あらゆる原因によるものである。
【００３８】
次いで、取得された画像に応答して生成された特徴４８ａと、中央配信ステーションのメモリに存在するデータ集合またはデータ集合の部分集合の特徴との間の比較ステップ２０６が実行される。本実施形態において、この比較は最初にデータ集合の部分集合の特徴に対して実行される。
【００３９】
比較は、例えば、決定された特徴４８ａと、配信ステーションのメモリに存在する特徴との間の差違関数を計算することに実行される。最も近い特徴とはすなわち、この関数を最小化することが可能なものである。例えば、画像特徴がサポート画面の選択画像のピクセルである場合、これらの画像データまたは各種の画像部分のデータを、配信ステーションに存在する特徴に畳み込むことが可能である。畳み込み積は、各種の画像解像度について実行することができる。畳み込み積の最小値が特徴で最適合致を示す。しかし、本実施形態では、ユーザーによる画像の取得に応答して生成された特徴４８ａは第１のデータ集合の部分集合１１０の特徴４８とは正確には同一ではないものの、後者に最も近いことが分かる。
【００４０】
このように、利用可能なサポート画面を用いてユーザーが選択しようとする画像は、このように決定されたデータ集合の部分集合１１０内で探索しなければならないことが裏付けられた。
【００４１】
選択画像を取得するビューの領域を制限するための誘導表示２０８がローカル装置へ送られる。当該誘導表示は、例えば、ローカル装置の制御画面上に特別の表示として現れる。
【００４２】
ユーザーは、利用可能なサポート画面の選択画像または選択画像の特定部分の周辺で枠取りの中心を再調整して、ローカル装置のセンサを用いて新規画像を取得することができる。次いで取得２００および特徴計算２０２のステップが繰り返される。新規画像特徴が生成される。
【００４３】
新規画像特徴は、中央配信ステーションに保存されている全ての画像特徴ではなく、以前に選択されたデータ集合の部分集合１１０に関連付けられた画像特徴だけと比較される。
【００４４】
ローカル装置が取得した画像の特徴から特定のデータ集合が識別されない限り、センサから提供された信号に対応する画像をローカル装置の制御画面上に表示するだけで済ませることができる。一方、取得された画像の特徴と、データ集合に関連付けられた特徴との間に合致が見出されたならば直ちに、データ集合が中央配信ステーションからローカル装置へ送信される。この送信を参照番号２１０で示す。これは、送信用にデータをフォーマット化するステップ２０７の後で実行される。例えば、これは画像データの解像度の調整を含んでいる。データは、携帯装置のメモリに保存２１２することができる。ローカル装置の制御画面、またはローカル装置により制御される画面上の表示２１６が次いで生成される。この表示は、ローカル装置の移動等、他のパラメータを考慮に入れることができる。取得およびこれらの移動の考慮を参照番号２１４で示す。
【００４５】
ローカル装置へ送信されたマルチメディア・データが音声のデータまたはグラフィック・データ等、画像データ以外のデータである場合、これらは画像センサによりリアルタイムで取得画像に付随して再現することができる。例えば、グラフィックまたはテキスト・データは、取得されて表示されている画像に重ね合わせることができる。音声データは、ローカル装置のスピーカーを用いて再現することができる。
【００４６】
マルチメディア・データが画像データまたはビデオ・シーケンス・データである場合、これらのデータに対応する画像の表示によりローカル装置の画像センサにより取得された画像の表示を置換することができる。換言すれば、マルチメディア・データがユーザーのサポート画面に示された選択画像に対応する場合、当該装置は、取得しているセンサ・データからの画像の再現を止めて、中央配信ステーションから提供されたデータを再現する。これらのデータは、コメントその他の情報が付加された画像に対応することができる。
【００４７】
中央配信ステーションから提供されたデータは、これらのデータに特徴が関連付けられた画像の全部または一部を携帯装置が取得する限り、複製することができる。当該携帯装置のサポート画面の画像周辺の置換範囲を定義することも可能であり、これにより当該範囲において、中央配信ステーションから提供されたデータが再現される。
【００４８】
取得された画像の特徴と、中央配信ステーションに保存されたデータ集合に関連付けられた特徴との比較に要する計算時間を減らすべく、これらの比較を限定された数のデータ集合に対して実行することが有用である。これは、上述の方法で、最初に画像全体を取得し、次いで画像全体に対応するデータ集合の部分集合を選択することにより実行することができる。
【００４９】
代替的または付加的に選択された他の解決策として、英数字コード、バーコードまたは、画像特徴の比較が必要とされる、中央ステーションのデータ集合の部分集合の一意且つ明白な決定を可能にする他の任意の種類のコードを入力すべくユーザーを誘導表示する方式がある。コードの入力１９０および中央ステーションへの送信１９２により、例えば同様な状況で、または同一被写体に関して、取得された写真の集合を選択することが可能になる。図１に、この種のデジタルコードを参照番号１９４で示す。
【００５０】
図３に、本方法の特定の実装を示す。この場合、ユーザーは図１のデータ・サポート画面１０から画像１２を取得する。画像センサ３０２がサポート画面に示す画像１２の全部または一部をカバーすべく、ユーザーはサポート画面１０の方へローカル装置３００、この場合は移動電話、を移動させる。この画像のデータが中央配信ステーションにおいて識別されたならば直ちに、ローカル装置３００へ送信される。ローカル装置の制御画面３０４は次いで、これらのデータに対応する画像を表示する。表示された画像が取得された画像に正確には対応しておらず、僅かに拡大されて再現されたその一部だけに対応していることがわかる。サポート画面の画像１２周辺のローカル装置が置換されたことの検出を用いて、対応する画像の「ナビゲーション」を実行する。置換の検出は、公知の方法で、加速度計を用いるかまたは画像センサから提供された信号に基づいて、視認可能な画像を置換目標として用いることにより実行できる。これに関して、例えば本記述の末尾に示す文献（８）を参照されたい。
【００５１】
図４に、中央配信ステーションから提供されたデータの他の可能な使用例を示す。ローカル装置における、サポート画面を縮小または閉じる動作を用いて、再現された画像の拡大率を制御することができる。この動作はまた、画像センサ３０２から提供されたアクセラレータまたは信号を用いて検出することができる。
【００５２】
中央配信ステーションから提供された画像データが高解像度画像に対応する場合、ユーザーはローカル装置の制御画面上で利用できるサポート画面に現れない画像の詳細を表示することができる。ユーザーはこのように、当該装置を拡大鏡として使用することができる。
【００５３】
図５に、上述の方法が提供する更に別の可能性を示す。図５の場合、ユーザーは利用可能なサポート画面１０の画像２２を取得する。ユーザーは先に図３、４に示したように、この画像を走査したり、画像内で「ナビゲート」することができる。このように、画像がその特徴から識別されたならば直ちに、制御画面上での画像の表示にセンサ３０２の信号を用いるのは止めて、中央配信ステーションからのデータを用いて表示を行なう。
【００５４】
ローカル装置を用しいてサポート画面１０の画像２２を走査することにより、センサは図１、５の長方形で示す画像の部分２４、２６を取得することができる。これらの長方形は、ユーザーに提示されるサポート画面には表示されない。これらは単に、特定のマルチメディア・データがこれらの画像部分に対応する特徴に関連付けられていることを単に示すために図１、５に表示されている。これらの画像部分の特徴が生成されたならば、中央配信ステーションにおいて上述の方法でマルチメディア・データが探索される。
【００５５】
図４に示す例において、ローカル装置が取得した画像部分に関連付けられたマルチメディア・データは注釈であって、吹き出しＢの形式で一時的に画像に重ね合わされてコンテンツを記述する。
【００５６】
吹き出しはローカル装置の画面だけに現れるが、ユーザーのサポート画面１０の画像２２には現れない。
【００５７】
本発明の特定の応用において、光インデックス・シートではなくサポート画面１０は定期出版物その他任意の出版物であってよい。この場合、図１の参照番号１９４は、例えば出版番号または新聞の発行日である。
【００５８】
十分なローカル装置を提供されていないか、または中央ステーションからのデータの配信サービスに加入していないユーザーは、画像で普通に表示される新聞を参照することができる。
【００５９】
適切なローカル装置を提供されているユーザーは、当該ローカル装置を用いて新聞または出版物の画像を取得することができる。この場合、ユーザーは、出版物を表わす印刷画像だけでなく、画像特徴に関連付けられた追加的なマルチメディア・データからも恩恵が得られる。例えば、携帯装置が番組の主題に対応する画像を取得した際に、番組のビデオ・シーケンスまたはテレビ放送されたニュースの要約を当該携帯装置上で起動して再現することができる。
【００６０】
同じモデルで、図６に、医療画像分野における本発明の応用例を示す。サポート画面１０は、識別番号１９４を含む、患者の識別シートである。当該番号を取得して中央配信ステーションへ送信１９２することにより、中央配信ステーションにおいて、当該患者が利用できる医療画像に対応するデータ集合１０５、１０７、１０９の部分集合１１１内で検索することが可能になる。
【００６１】
サポート画面１０はまた、患者の体の全部または一部のＸ線画像１３または写真を示す。
【００６２】
Ｘ線画像１３は、全ての患者の医療画像並びに以前になされた医療診察の分析レポートを含むデータ集合の部分集合１１１に関連付けられた画像特徴を有する。画像特徴は、サポート画面１０全体を多少なりとも包含する画像を携帯装置が取得した際に生成することができる。これらは次いで、適当なデータ集合の部分集合１１１の選択を可能にする。上述のデジタルコード１９４の取得に関連付けられたこの選択方法を利用することにより、二重チェックを行なって医療ファイルの取り違いを回避することが可能になる。
【００６３】
次いで医療従事者は、Ｘ線画像１３を走査して、携帯装置を患者の病変位置に対応するＸ線画像の部分に向けることができる。携帯装置のセンサが取得した画像の特徴が生成されて、以前に決定されたデータ集合の各種の部分集合１１１に関連付けられたものと比較される。
【００６４】
実際に、Ｘ線画像１３の特定部分１５、１７、１９は、より詳細なＸ線画像または医療診断等のデータ１０５、１０７、１０９に関連付けられた特徴３５、３７、３９を有する。
【００６５】
図に示す例において、一つのデータ集合１０７は、心臓のＸ線画像または心臓の鼓動を示すビデオ・シーケンスに対応している。取得された画像がこれらのデータに関連付けられた特徴３７に近い特徴を有する場合、これらは医療従事者のローカル装置へ送られる。データは、必ずしもローカル装置の制御画面上で再現されないが、この場合はローカル装置に接続されて制御されるモニタ３０６に再現される。
【００６６】
図３、４に関して上で述べたナビゲーションおよび拡大（ズーム）機能により、医療従事者は患者の医療画像をより正確に調べて、多くの情報にアクセスできるようになる。
【００６７】
サポート画面に存在するＸ線画像または写真１３は解像度が極めて低い場合があり、いずれにせよ内科的診断に必要とされる解像度よりはるかに低い点に留意する必要がある。これにより、サポート画面を簡単に再現して患者または医療従事者に提供することが可能になる。解像度は、画像部分の特徴を生成して他のものと区別することが可能であるだけで十分である。この条件は、低品質の印刷を用いて満たされる。
【００６８】
高解像度の詳細な医療画像に関するデータは、中央配信ステーションから到来して医療従事者による診断を可能にする。
【図面の簡単な説明】
【００６９】
【図１】本発明による方法を実装すべくユーザーへ送信可能なサポート画面を示す図である。
【図２】本発明による方法の主要なステップを示す構成図である。
【図３】サポート画面の画像の取得に応答するデータ再現の例を示す図である。
【図４】サポート画面の画像の取得に応答するデータ再現の別の例を示す図である。
【図５】サポート画面の画像の取得に応答するデータ再現の更に別の例を示す図である。
【図６】医療分野における本発明の特別な応用を示す図である。
【図１】
2008522515.tif 000003
【図２】
2008522515.tif 000004
【図３】
2008522515.tif 000005
【図４】
2008522515.tif 000006
【図５】
2008522515.tif 000007
【図６】
2008522515.tif 000008
【国際調査報告】
2008522515.tif 000009
2008522515.tif 000010
2008522515.tif 000011